(57)【特許請求の範囲】
【請求項１】
信号処理方法であって、
ユーザ機器により、ライセンス不要周波数上の信号の受信信号強度表示信号（RSSI）値を検出するために使用される構成情報を取得するステップであって、前記構成情報は、前記ライセンス不要周波数上の前記信号のものであるサンプリングパラメータ情報および統計ウィンドウを含み、前記サンプリングパラメータ情報はサンプリング間隔を含み、前記統計ウィンドウは、サンプリング時点における前記ライセンス不要周波数上の前記信号のRSSI値の統計が決定される時間長である、ステップと、
前記ユーザ機器により、前記サンプリング間隔で前記ライセンス不要周波数上の前記信号をサンプリングし、前記サンプリング時点における前記ライセンス不要周波数上の前記信号の前記RSSI値を取得するステップと、
前記ユーザ機器により、前記統計ウィンドウに含まれる前記サンプリング時点における前記ライセンス不要周波数上の前記信号の前記RSSI値の統計を決定し、前記ライセンス不要周波数上の前記信号のRSSI値統計結果を取得するステップと、
前記ユーザ機器により、前記ライセンス不要周波数上の前記信号の前記RSSI値統計結果を基地局に報告するステップと
を含む方法であって、
前記サンプリングパラメータ情報は、前記統計ウィンドウ内の測定時間長および前記統計ウィンドウ内の測定周期をさらに含み、前記ユーザ機器により、前記サンプリング間隔で前記ライセンス不要周波数上の前記信号をサンプリングし、前記サンプリング時点における前記ライセンス不要周波数上の前記信号の前記RSSI値を取得する前記ステップは、
前記ユーザ機器により、前記ライセンス不要周波数上の前記信号について、前記測定時間長および前記測定周期に従って前記サンプリング間隔で前記ライセンス不要周波数上の前記信号をサンプリングし、前記サンプリング時点における前記ライセンス不要周波数上の前記信号の前記RSSI値を取得するステップ
を含む、方法。
【請求項２】
前記構成情報はRSSI閾値をさらに含み、
前記ユーザ機器により、前記統計ウィンドウに含まれる前記サンプリング時点における前記ライセンス不要周波数上の前記信号の前記RSSI値の統計を決定し、前記ライセンス不要周波数上の前記信号のRSSI値統計結果を取得する前記ステップは、
前記ユーザ機器により、前記RSSI閾値に従って、前記統計ウィンドウについて、前記統計ウィンドウに含まれるサンプリング時点における前記ライセンス不要周波数上の前記信号のRSSI値を少なくとも1つのRSSI値範囲に決定し、前記少なくとも1つのRSSI値範囲に含まれるサンプリング時点におけるRSSI値の数と、前記統計ウィンドウに含まれる前記サンプリング時点における前記ライセンス不要周波数上の前記信号の前記RSSI値の総数との比を取得し、前記少なくとも1つのRSSI値範囲の前記比を統計結果として使用するステップと
を含む、請求項1に記載の方法。
【請求項３】
信号処理方法であって、
基地局により、ライセンス不要周波数上の信号の受信信号強度表示信号（RSSI）値を検出するために使用される構成情報をユーザ機器に送信するステップであって、前記構成情報は、前記ユーザ機器が、前記信号のRSSI値統計結果を取得する必要がある前記ライセンス不要周波数を決定するために使用する周波数指示情報を含む、ステップと、
前記基地局により、前記構成情報に従って前記ユーザ機器が取得した前記ライセンス不要周波数上の前記信号の前記RSSI値統計結果を受信するステップと、
前記基地局により、前記ライセンス不要周波数上の前記信号の前記RSSI値統計結果に従って、前記ライセンス不要周波数が前記ユーザ機器との通信に使用される遊休状態のライセンス不要周波数であるかどうかを判定するステップと
を含む方法であって、
サンプリングパラメータ情報は、統計ウィンドウ内の測定時間長および前記統計ウィンドウ内の測定周期をさらに含み、前記測定時間長は、前記測定周期において前記ライセンス不要周波数上の前記信号がサンプリングされる時間長を指示するために使用され、サンプリング間隔の時間長は前記測定時間長の前記時間長よりも短い、
方法。
【請求項４】
前記構成情報は、前記ライセンス不要周波数上の前記信号をサンプリングするために使用されるサンプリングパラメータ情報および統計ウィンドウを含み、前記サンプリングパラメータ情報はサンプリング間隔を含み、前記統計ウィンドウは、サンプリング時点における前記ライセンス不要周波数上の前記信号のRSSI値の統計が決定される時間長である、請求項3に記載の方法。
【請求項５】
前記構成情報はRSSI閾値をさらに含み、前記RSSI閾値は、前記統計ウィンドウについて、前記統計ウィンドウに含まれるサンプリング時点における前記ライセンス不要周波数上の前記信号のRSSI値を少なくとも1つのRSSI値範囲に決定するために用いられ、前記少なくとも1つのRSSI値範囲に含まれるサンプリング時点におけるRSSI値の数と、前記統計ウィンドウに含まれる前記サンプリング時点における前記ライセンス不要周波数上の前記信号の前記RSSI値の総数との比が、前記ライセンス不要周波数上の前記信号の前記RSSI値統計結果として使用される、請求項3または4に記載の方法。
【請求項６】
ライセンス不要周波数上の信号の受信信号強度表示信号（RSSI）値を検出するために使用される構成情報を取得するように構成された取得モジュールであって、前記構成情報は、前記ライセンス不要周波数上の前記信号のものであるサンプリングパラメータ情報および統計ウィンドウを含み、前記サンプリングパラメータ情報はサンプリング間隔を含み、前記統計ウィンドウは、サンプリング時点における前記ライセンス不要周波数上の前記信号のRSSI値の統計が決定される時間長である、取得モジュールと、
前記サンプリング間隔で前記ライセンス不要周波数上の前記信号をサンプリングし、前記サンプリング時点における前記ライセンス不要周波数上の前記信号の前記RSSI値を取得するように構成されたサンプリングモジュールと、
前記統計ウィンドウに含まれる前記サンプリング時点における前記ライセンス不要周波
数上の前記信号の前記RSSI値の統計を決定し、前記ライセンス不要周波数上の前記信号のRSSI値統計結果を取得するように構成された統計決定モジュールと、
前記ライセンス不要周波数上の前記信号の前記RSSI値統計結果を基地局に報告するように構成された報告モジュールと
を含む、ユーザ機器であって、
前記サンプリングパラメータ情報は、前記統計ウィンドウ内の測定時間長および前記統計ウィンドウ内の測定周期をさらに含み、前記サンプリングモジュールは、前記ライセンス不要周波数上の前記信号について、前記測定時間長および前記測定周期に従って前記サンプリング間隔で前記ライセンス不要周波数上の前記信号をサンプリングし、前記サンプリング時点における前記ライセンス不要周波数上の前記信号の前記RSSI値を取得するようにさらに構成されている、
ユーザ機器。
【請求項７】
前記構成情報はRSSI閾値をさらに含み、
前記統計決定モジュールは、前記RSSI閾値に従って、前記統計ウィンドウについて、前記統計ウィンドウに含まれるサンプリング時点における前記ライセンス不要周波数上の前記信号のRSSI値を少なくとも1つのRSSI値範囲に決定し、前記少なくとも1つのRSSI値範囲に含まれるサンプリング時点におけるRSSI値の数と、前記統計ウィンドウに含まれる前記サンプリング時点における前記ライセンス不要周波数上の前記信号の前記RSSI値の総数との比を取得し、前記少なくとも1つのRSSI値範囲の前記比を統計結果として使用するようにさらに構成されている、請求項6に記載のユーザ機器。
【請求項８】
ライセンス不要周波数上の信号の受信信号強度表示信号（RSSI）値を検出するために使用される構成情報をユーザ機器に送信するように構成された通信モジュールであって、前記構成情報は、前記ユーザ機器が、前記信号のRSSI値統計結果を取得する必要がある前記ライセンス不要周波数を決定するために使用する周波数指示情報を含み、
前記通信モジュールは、前記構成情報に従って前記ユーザ機器が取得した前記ライセンス不要周波数上の前記信号の前記RSSI値統計結果を受信するようにさらに構成されている、通信モジュールと、
前記通信モジュールが受信した前記ライセンス不要周波数上の前記信号の前記RSSI値統計結果に従って、前記ライセンス不要周波数が前記ユーザ機器との通信に使用される遊休状態のライセンス不要周波数であるかどうかを判定するように構成された判定モジュールと
を含む、基地局であって、
サンプリングパラメータ情報は、統計ウィンドウ内の測定時間長および前記統計ウィンドウ内の測定周期をさらに含み、前記測定時間長は、前記測定周期において前記ライセンス不要周波数上の前記信号がサンプリングされる時間長を指示するために使用され、サンプリング間隔の時間長は前記測定時間長の前記時間長よりも短い、
基地局。
【請求項９】
前記構成情報は、前記ライセンス不要周波数上の前記信号をサンプリングするために使用されるサンプリングパラメータ情報および統計ウィンドウを含み、前記サンプリングパラメータ情報はサンプリング間隔を含み、前記統計ウィンドウは、サンプリング時点における前記ライセンス不要周波数上の前記信号のRSSI値の統計が決定される時間長である、請求項8に記載の基地局。
【請求項１０】
前記構成情報はRSSI閾値をさらに含み、前記RSSI閾値は、前記統計ウィンドウについて、前記統計ウィンドウに含まれるサンプリング時点における前記ライセンス不要周波数上の前記信号のRSSI値を少なくとも1つのRSSI値範囲に決定するために用いられ、前記少なくとも1つのRSSI値範囲に含まれるサンプリング時点におけるRSSI値の数と、前記統計ウィンドウに含まれる前記サンプリング時点における前記ライセンス不要周波数上の前記信号の前記RSSI値の総数との比が、前記ライセンス不要周波数上の前記信号の前記RSSI値統計結果として使用される、請求項8または9に記載の基地局。
【請求項１１】
請求項1から5のいずれか一項に記載の方法をコンピュータに実行させる命令を記録したコンピュータ読み取り可能な記録媒体。
【発明の詳細な説明】
【技術分野】
【０００１】
本発明は通信技術の分野に関し、詳細には、信号処理方法および関連装置に関する。
【背景技術】
【０００２】
移動通信技術の発展とユーザ機器の台数増加に伴い、移動通信ネットワークの限られたライセンス周波数にかかる負荷がますます高まっている。ライセンス周波数にかかる負荷を軽減するために、ライセンス不要周波数を使用してユーザ機器のデータなどのサービスを提供することができる。ライセンス不要周波数とは、ライセンスなしで、政府などの部門の関連規則に準拠して直接使用できる周波数の一種である。ライセンス不要周波数を使用する場合、信号を送信する前にリスニングを行う必要がある。すなわち、リスニングによってライセンス不要周波数が遊休状態であることが検出された場合に限り、ライセンス不要周波数で信号を送信することができる。周波数を使用するユーザ機器が増えると、周波数にかかる負荷が高くなり、各ユーザ機器が周波数を使用できる時間が短くなる。したがって、基地局は、ユーザ機器に通信サービスを提供するために、可能な限り、ライセンス不要周波数の中から比較的低い負荷を有し、比較的遊休度の高い周波数を選択する。受信信号強度表示信号（Received Signal Strength Indicator、RSSI）は、周波数上の総信号強度を示すために使用される。RSSI値が大きいほど周波数にかかる負荷が高いことを示し、RSSI値が小さいほど周波数にかかる負荷が低く、周波数の遊休度が比較的高いことを示す。したがって、基地局は、各候補ライセンス不要周波数上の信号のRSSI値を検出することによって、比較的低い負荷を有し、比較的遊休度が高い周波数を選択し、選択されたライセンス不要周波数上でユーザ機器に通信サービスを提供することができる。
【０００３】
しかし、基地局がライセンス不要周波数上の信号のRSSI値を検出するとき、基地局は、基地局に比較的近い近隣の基地局によってライセンス不要周波数上で送信される信号しか検出しない場合がある。しかし、基地局は、基地局から比較的遠いが、基地局によってサービスを提供されているユーザ機器には比較的近い隠れた基地局によって送信される信号を検出できない場合もある。基地局が検出によって取得したRSSI値に従ってライセンス不要周波数を選択した場合、そのRSSI値は実際の値よりも小さい可能性がある。その結果、選択したライセンス不要周波数が遊休状態ではなくなる可能性がある。したがって、ユーザ機器が基地局によって選択されたライセンス不要周波数を使用して通信を行うときに、ユーザ機器は隠れた基地局による干渉を受ける可能性が高い。したがって、ユーザ機器にサービスを提供する基地局が遊休状態のライセンス不要周波数を選択する際に従うRSSI値の正確さをどのように向上させるかが解決を急務とする問題である。
【発明の概要】
【課題を解決するための手段】
【０００４】
本発明の実施形態は、ユーザ機器にサービスを提供する基地局が遊休状態のライセンス不要周波数を選択する際に従うRSSI値の正確さを向上させるために、信号処理方法および関連装置を開示する。
【０００５】
本発明の実施形態の第1の態様は、信号処理方法を提供し、本方法は、
ユーザ機器により、ライセンス不要周波数上の信号の受信信号強度表示信号RSSI値を検出するために使用される構成情報を取得するステップであって、構成情報は、ライセンス不要周波数上の信号のものであるサンプリングパラメータ情報および少なくとも1つの統計ウィンドウを含み、サンプリングパラメータ情報はサンプリング間隔を含み、少なくとも1つの統計ウィンドウは、サンプリング時点におけるライセンス不要周波数上の信号のRSSI値の統計が決定される時間長である、ステップと、
ユーザ機器により、サンプリング間隔でライセンス不要周波数上の信号をサンプリングし、サンプリング時点におけるライセンス不要周波数上の信号のRSSI値を取得するステップと、
ユーザ機器により、少なくとも1つの統計ウィンドウに含まれるサンプリング時点におけるライセンス不要周波数上の信号のRSSI値の統計を決定し、ライセンス不要周波数上の信号のRSSI値統計結果を取得するステップと、
ユーザ機器により、ライセンス不要周波数上の信号のRSSI値統計結果を基地局に報告するステップと
を含む。
【０００６】
本発明の実施形態の第1の態様の実施態様に関連して、本発明の実施形態の第1の態様の第1の可能な実施態様において、構成情報は報告条件をさらに含み、報告条件は1回限りの報告を指示し、ユーザ機器により、ライセンス不要周波数上の信号のRSSI値統計結果を基地局に報告するステップは、
ユーザ機器により、少なくとも1つの統計ウィンドウのうちの1つの統計ウィンドウに対応するライセンス不要周波数上の信号のRSSI値統計結果を基地局に報告するステップ
を含み、
ユーザ機器により、少なくとも1つの統計ウィンドウのうちの1つの統計ウィンドウに対応するライセンス不要周波数上の信号のRSSI値統計結果を基地局に報告するステップの後に、本方法は、
ユーザ機器により、サンプリング間隔でのライセンス不要周波数上の信号のサンプリングを停止するよう制御するステップ
をさらに含む。
【０００７】
本発明の実施形態の第1の態様の実施態様に関連して、本発明の実施形態の第1の態様の第2の可能な実施態様において、構成情報は報告条件をさらに含み、報告条件は事前設定報告周期に従った報告を指示し、ユーザ機器により、ライセンス不要周波数上の信号のRSSI値統計結果を基地局に報告するステップは、
ユーザ機器により、事前設定報告周期に含まれる統計ウィンドウの数を決定するステップと、
ユーザ機器により、少なくとも1つの統計ウィンドウのうちの統計ウィンドウの数に対応するライセンス不要周波数上の信号のRSSI値統計結果を基地局に報告するステップと
を含む。
【０００８】
本発明の実施形態の第1の態様の実施態様に関連して、本発明の実施形態の第1の態様の第3の可能な実施態様において、構成情報は報告条件をさらに含み、報告条件は事前設定イベントに従った報告であり、本方法は、
ユーザ機器により、RSSI値統計結果が事前設定イベントを指示する情報を含むかどうかを判定するステップと、
事前設定イベントを指示する情報が含まれる場合、ユーザ機器により、ライセンス不要周波数上の信号のRSSI値統計結果の基地局への報告を行うステップと
をさらに含む。
【０００９】
本発明の実施形態の第1の態様、または本発明の実施形態の第1の態様の第1から第3の可能な実施態様のいずれか1つに関連して、本発明の実施形態の第1の態様の第4の可能な実施態様において、構成情報は少なくとも1つのRSSI閾値をさらに含み、ユーザ機器により、少なくとも1つの統計ウィンドウに従ってサンプリング時点におけるライセンス不要周波数上の信号のRSSI値の統計を決定し、ライセンス不要周波数上の信号のRSSI値統計結果を取得するステップは、
ユーザ機器により、少なくとも1つのRSSI閾値に従って、少なくとも1つの統計ウィンドウの各々について、統計ウィンドウに含まれるサンプリング時点におけるライセンス不要周波数上の信号のRSSI値を少なくとも1つのRSSI値範囲に分割し、少なくとも1つのRSSI値範囲に含まれるサンプリング時点におけるRSSI値の数と、統計ウィンドウに含まれるサンプリング時点におけるライセンス不要周波数上の信号のRSSI値の総数との比を取得し、少なくとも1つのRSSI値範囲の比を統計結果として使用するステップと
を含む。
【００１０】
本発明の実施形態の第1の態様の第4の可能な実施態様に関連して、本発明の実施形態の第1の態様の第5の可能な実施態様において、ライセンス不要周波数上の信号のRSSI値統計結果は、少なくとも1つの統計ウィンドウに含まれるサンプリング時点におけるライセンス不要周波数上の信号のRSSI値の総数、ライセンス不要周波数上の信号がサンプリングされるサンプリング間隔、サンプリング時点におけるライセンス不要周波数上の信号のRSSI値の平均値、またはライセンス不要周波数上の信号の信号属性情報であって、信号属性情報が無線ローカル・エリア・ネットワークWLAN構成情報もしくはセル構成情報を含む、信号属性情報、の少なくとも1つまたはこれらの情報の組み合わせをさらに含む。
【００１１】
本発明の実施形態の第1の態様、または本発明の実施形態の第1の態様の第1から第5の可能な実施態様のいずれか1つに関連して、本発明の実施形態の第1の態様の第6の可能な実施態様において、サンプリングパラメータ情報は、ライセンス不要周波数に対応するサンプリングウィンドウおよびサンプリングウィンドウ周期をさらに含み、サンプリングウィンドウは、各サンプリングウィンドウ周期においてライセンス不要周波数上の信号がサンプリングされる時間長を指示するために使用され、サンプリング間隔の時間長はサンプリングウィンドウの時間長よりも短く、ユーザ機器により、サンプリング間隔でライセンス不要周波数上の信号をサンプリングし、サンプリング時点におけるライセンス不要周波数上の信号のRSSI値を取得するステップは、
ユーザ機器により、ライセンス不要周波数上の信号について、サンプリングウィンドウの時間長およびサンプリングウィンドウ周期に従ってサンプリング間隔でライセンス不要周波数上の信号をサンプリングし、サンプリング時点におけるライセンス不要周波数上の信号のRSSI値を取得するステップ
を含む。
【００１２】
本発明の実施形態の第1の態様、または本発明の実施形態の第1の態様の第1から第5の可能な実施態様のいずれか1つに関連して、本発明の実施形態の第1の態様の第7の可能な実施態様において、サンプリングパラメータ情報は、測定時間長および測定周期をさらに含み、ユーザ機器により、サンプリング間隔でライセンス不要周波数上の信号をサンプリングし、サンプリング時点におけるライセンス不要周波数上の信号のRSSI値を取得するステップは、
ユーザ機器により、ライセンス不要周波数上の信号について、測定時間長および測定周期に従ってサンプリング間隔でライセンス不要周波数上の信号をサンプリングし、サンプリング時点におけるライセンス不要周波数上の信号のRSSI値を取得するステップ
を含む。
【００１３】
本発明の実施形態の第1の態様、または本発明の実施形態の第1の態様の第1から第7の可能な実施態様のいずれか1つに関連して、本発明の実施形態の第1の態様の第8の可能な実施態様において、構成情報に含まれる統計ウィンドウ、サンプリングパラメータ情報、または報告条件のいずれか1つが、ユーザ機器によって事前設定されるか、またはユーザ機器にサービスを提供する基地局から取得される。
【００１４】
本発明の実施形態の第1の態様、または本発明の実施形態の第1の態様の第1から第8の可能な実施態様のいずれか1つに関連して、本発明の実施形態の第1の態様の第9の可能な実施態様において、ユーザ機器は、物理層および無線リソース制御層を含み、
物理層は、サンプリング間隔でライセンス不要周波数上の信号をサンプリングし、サンプリング時点におけるライセンス不要周波数上の信号のRSSI値を取得し、サンプリング時点におけるライセンス不要周波数上の信号のRSSI値を無線リソース制御層に送り、無線リソース制御層は、少なくとも1つの統計ウィンドウに従ってサンプリング時点におけるライセンス不要周波数上の信号のRSSI値の統計を決定し、ライセンス不要周波数上の信号のRSSI値統計結果を取得し、または
物理層は、サンプリング間隔でライセンス不要周波数上の信号をサンプリングし、サンプリング時点におけるライセンス不要周波数上の信号のRSSI値を取得し、少なくとも1つの統計ウィンドウに従ってサンプリング時点におけるライセンス不要周波数上の信号のRSSI値の統計を決定し、ライセンス不要周波数上の信号のRSSI値統計結果を取得し、ライセンス不要周波数上の信号のRSSI値統計結果を無線リソース制御層に送る。
【００１５】
本発明の実施形態の第1の態様、または本発明の実施形態の第1の態様の第1から第9の可能な実施態様のいずれか1つに関連して、本発明の実施形態の第1の態様の第10の可能な実施態様において、構成情報は周波数指示情報をさらに含み、ユーザ機器は、周波数指示情報に従って、信号のRSSI値統計結果を取得する必要があるライセンス不要周波数を決定する。
【００１６】
本発明の実施形態の第2の態様は、信号処理方法を提供し、本方法は、
基地局により、ライセンス不要周波数上の信号の受信信号強度表示信号RSSI値を検出するために使用される構成情報をユーザ機器に送信するステップであって、構成情報は周波数指示情報を含み、ユーザ機器は、周波数指示情報に従って、信号のRSSI値統計結果を取得する必要があるライセンス不要周波数を決定する、ステップと、
基地局により、構成情報に従ってユーザ機器が取得したライセンス不要周波数上の信号のRSSI値統計結果を受信するステップと、
基地局により、ライセンス不要周波数上の信号のRSSI値統計結果に従って、ライセンス不要周波数がユーザ機器との通信に使用される遊休状態のライセンス不要周波数であるかどうかを判定するステップと
を含む。
【００１７】
本発明の実施形態の第2の態様の実施態様に関連して、本発明の実施形態の第2の態様の第1の可能な実施態様において、構成情報は、ライセンス不要周波数上の信号をサンプリングするために使用されるサンプリングパラメータ情報および／または少なくとも1つの統計ウィンドウを含み、サンプリングパラメータ情報はサンプリング間隔を含み、少なくとも1つの統計ウィンドウは、サンプリング時点におけるライセンス不要周波数上の信号のRSSI値の統計が決定される時間長である。
【００１８】
本発明の実施形態の第2の態様または本発明の実施形態の第2の態様の第1の可能な実施態様に関連して、本発明の実施形態の第2の態様の第2の可能な実施態様において、構成情報は、ユーザ機器をトリガしてライセンス不要周波数上の信号のRSSI値統計結果を報告させるために使用される報告条件をさらに含み、報告条件は、少なくとも1つの統計ウィンドウのうちの1つの統計ウィンドウに対応するライセンス不要周波数上の信号のRSSI値統計結果の1回限りの報告を行うこと、事前設定報告周期に従って周期的な報告を行うこと、または事前設定イベントを指示する、ライセンス不要周波数上の信号のRSSI値統計結果に含まれる情報に従ってイベントベースの報告を行うことのいずれか1つを含む。
【００１９】
本発明の実施形態の第2の態様または本発明の実施形態の第2の態様の第1もしくは第2の可能な実施態様に関連して、本発明の実施形態の第2の態様の第3の可能な実施態様において、構成情報は少なくとも1つのRSSI閾値をさらに含み、少なくとも1つのRSSI閾値は、少なくとも1つの統計ウィンドウの各々について、統計ウィンドウに含まれるサンプリング時点におけるライセンス不要周波数上の信号のRSSI値を少なくとも1つのRSSI値範囲に分割するために使用され、少なくとも1つのRSSI値範囲に含まれるサンプリング時点におけるRSSI値の数と、統計ウィンドウに含まれるサンプリング時点におけるライセンス不要周波数上の信号のRSSI値の総数との比が、ライセンス不要周波数上の信号のRSSI値統計結果として使用される。
【００２０】
本発明の実施形態の第2の態様の第3の可能な実施態様に関連して、本発明の実施形態の第2の態様の第4の可能な実施態様において、ライセンス不要周波数上の信号のRSSI値統計結果は、少なくとも1つの統計ウィンドウに含まれるサンプリング時点におけるライセンス不要周波数上の信号のRSSI値の総数、ライセンス不要周波数上の信号がサンプリングされるサンプリング間隔、サンプリング時点におけるライセンス不要周波数上の信号のRSSI値の平均値、またはライセンス不要周波数上の信号の信号属性情報であって、信号属性情報が無線ローカル・エリア・ネットワークWLAN情報もしくはセル構成情報を含む、信号属性情報、の少なくとも1つまたはこれらの情報の組み合わせをさらに含む。
【００２１】
本発明の実施形態の第2の態様、または本発明の実施形態の第2の態様の第1から第4の可能な実施態様のいずれか1つに関連して、本発明の実施形態の第2の態様の第5の可能な実施態様において、サンプリングパラメータ情報は、ライセンス不要周波数に対応するサンプリングウィンドウおよびサンプリングウィンドウ周期をさらに含み、サンプリングウィンドウは、各サンプリングウィンドウ周期においてライセンス不要周波数上の信号がサンプリングされる時間長を指示するために使用され、サンプリング間隔の時間長はサンプリングウィンドウの時間長よりも短い。
【００２２】
本発明の実施形態の第2の態様、または本発明の実施形態の第2の態様の第1から第4の可能な実施態様のいずれか1つに関連して、本発明の実施形態の第2の態様の第6の可能な実施態様において、サンプリングパラメータ情報は、測定時間長および測定周期をさらに含み、測定時間長は、各測定周期においてライセンス不要周波数上の信号がサンプリングされる時間長を指示するために使用され、サンプリング間隔の時間長は測定時間長の時間長よりも短い。
【００２３】
本発明の実施形態の第3の態様は、ユーザ機器を開示し、本ユーザ機器は、
ライセンス不要周波数上の信号の受信信号強度表示信号RSSI値を検出するために使用される構成情報を取得するように構成された取得モジュールであって、構成情報は、ライセンス不要周波数上の信号のものであるサンプリングパラメータ情報および少なくとも1つの統計ウィンドウを含み、サンプリングパラメータ情報はサンプリング間隔を含み、少なくとも1つの統計ウィンドウは、サンプリング時点におけるライセンス不要周波数上の信号のRSSI値の統計が決定される時間長である、取得モジュールと、
サンプリング間隔でライセンス不要周波数上の信号をサンプリングし、サンプリング時点におけるライセンス不要周波数上の信号のRSSI値を取得するように構成されたサンプリングモジュールと、
少なくとも1つの統計ウィンドウに含まれるサンプリング時点におけるライセンス不要周波数上の信号のRSSI値の統計を決定し、ライセンス不要周波数上の信号のRSSI値統計結果を取得するように構成された統計決定モジュールと、
ライセンス不要周波数上の信号のRSSI値統計結果を基地局に報告するように構成された報告モジュールと
を含む。
【００２４】
本発明の実施形態の第3の態様の実施態様に関連して、本発明の実施形態の第3の態様の第1の可能な実施態様において、構成情報は報告条件をさらに含み、報告条件は1回限りの報告を指示し、報告モジュールは、少なくとも1つの統計ウィンドウのうちの1つの統計ウィンドウに対応するライセンス不要周波数上の信号のRSSI値統計結果を基地局に報告するように特に構成されており、
本ユーザ機器は、
報告モジュールが、少なくとも1つの統計ウィンドウのうちの1つの統計ウィンドウに対応するライセンス不要周波数上の信号のRSSI値統計結果を基地局に報告した後で、サンプリング間隔でのライセンス不要周波数上の信号のサンプリングを停止するよう制御するように構成された制御モジュール
をさらに含む。
【００２５】
本発明の実施形態の第3の態様または本発明の実施形態の第3の態様の第1の可能な実施態様に関連して、本発明の実施形態の第3の態様の第2の可能な実施態様において、構成情報は報告条件をさらに含み、報告条件は事前設定報告周期に従った報告を指示し、報告モジュールは、
事前設定報告周期に含まれる統計ウィンドウの数を決定するように構成された決定部と、
少なくとも1つの統計ウィンドウのうちの統計ウィンドウの数に対応するライセンス不要周波数上の信号のRSSI値統計結果を基地局に報告するように構成された報告部と
を含む。
【００２６】
本発明の実施形態の第3の態様または本発明の実施形態の第3の態様の第1もしくは第2の可能な実施態様に関連して、本発明の実施形態の第3の態様の第3の可能な実施態様において、構成情報は報告条件をさらに含み、報告条件は事前設定イベントに従った報告であり、本ユーザ機器は、
RSSI値統計結果が事前設定イベントを指示する情報を含むかどうかを判定し、事前設定イベントを指示する情報が含まれると判定された場合、報告モジュールをトリガして、ライセンス不要周波数上の信号のRSSI値統計結果を基地局に報告する動作を行わせるように構成された判定モジュール
をさらに含む。
【００２７】
本発明の実施形態の第3の態様の第3の可能な実施態様に関連して、本発明の実施形態の第3の態様の第4の可能な実施態様において、構成情報は少なくとも1つのRSSI閾値をさらに含み、統計決定モジュールは、少なくとも1つのRSSI閾値に従って、少なくとも1つの統計ウィンドウの各々について、統計ウィンドウに含まれるサンプリング時点におけるライセンス不要周波数上の信号のRSSI値を少なくとも1つのRSSI値範囲に分割し、少なくとも1つのRSSI値範囲に含まれるサンプリング時点におけるRSSI値の数と、統計ウィンドウに含まれるサンプリング時点におけるライセンス不要周波数上の信号のRSSI値の総数との比を取得し、少なくとも1つのRSSI値範囲の比を統計結果として使用するように特に構成されている。
【００２８】
本発明の実施形態の第3の態様、または本発明の実施形態の第3の態様の第1から第4の可能な実施態様のいずれか1つに関連して、本発明の実施形態の第3の態様の第5の可能な実施態様において、ライセンス不要周波数上の信号のRSSI値統計結果は、少なくとも1つの統計ウィンドウに含まれるサンプリング時点におけるライセンス不要周波数上の信号のRSSI値の総数、ライセンス不要周波数上の信号がサンプリングされるサンプリング間隔、サンプリング時点におけるライセンス不要周波数上の信号のRSSI値の平均値、またはライセンス不要周波数上の信号の信号属性情報であって、信号属性情報が無線ローカル・エリア・ネットワークWLAN構成情報もしくはセル構成情報を含む、信号属性情報、の少なくとも1つまたはこれらの情報の組み合わせをさらに含む。
【００２９】
本発明の実施形態の第3の態様、または本発明の実施形態の第3の態様の第1から第5の可能な実施態様のいずれか1つに関連して、本発明の実施形態の第3の態様の第6の可能な実施態様において、サンプリングパラメータ情報は、ライセンス不要周波数に対応するサンプリングウィンドウおよびサンプリングウィンドウ周期をさらに含み、サンプリングウィンドウは、各サンプリングウィンドウ周期においてライセンス不要周波数上の信号がサンプリングされる時間長を指示するために使用され、サンプリング間隔の時間長はサンプリングウィンドウの時間長よりも短く、サンプリングモジュールは、ライセンス不要周波数上の信号について、サンプリングウィンドウの時間長およびサンプリングウィンドウ周期に従ってサンプリング間隔でライセンス不要周波数上の信号をサンプリングし、サンプリング時点におけるライセンス不要周波数上の信号のRSSI値を取得するように特に構成されている。
【００３０】
本発明の実施形態の第3の態様、または本発明の実施形態の第3の態様の第1から第5の可能な実施態様のいずれか1つに関連して、本発明の実施形態の第3の態様の第7の可能な実施態様において、サンプリングパラメータ情報は、測定時間長および測定周期をさらに含み、サンプリングモジュールは、ライセンス不要周波数上の信号について、測定時間長および測定周期に従ってサンプリング間隔でライセンス不要周波数上の信号をサンプリングし、サンプリング時点におけるライセンス不要周波数上の信号のRSSI値を取得するように特に構成されている。
【００３１】
本発明の実施形態の第3の態様、または本発明の実施形態の第3の態様の第1から第7の可能な実施態様のいずれか1つに関連して、本発明の実施形態の第3の態様の第8の可能な実施態様において、構成情報に含まれる統計ウィンドウ、サンプリングパラメータ情報、または報告条件のいずれか1つが、ユーザ機器によって事前設定されるか、またはユーザ機器にサービスを提供する基地局から取得される。
【００３２】
本発明の実施形態の第3の態様、または本発明の実施形態の第3の態様の第1から第8の可能な実施態様のいずれか1つに関連して、本発明の実施形態の第3の態様の第9の可能な実施態様において、ユーザ機器は、物理層および無線リソース制御層を含み、
物理層は、サンプリング間隔でライセンス不要周波数上の信号をサンプリングし、サンプリング時点におけるライセンス不要周波数上の信号のRSSI値を取得し、サンプリング時点におけるライセンス不要周波数上の信号のRSSI値を無線リソース制御層に送り、無線リソース制御層は、少なくとも1つの統計ウィンドウに従ってサンプリング時点におけるライセンス不要周波数上の信号のRSSI値の統計を決定し、ライセンス不要周波数上の信号のRSSI値統計結果を取得し、または
物理層は、サンプリング間隔でライセンス不要周波数上の信号をサンプリングし、サンプリング時点におけるライセンス不要周波数上の信号のRSSI値を取得し、少なくとも1つの統計ウィンドウに従ってサンプリング時点におけるライセンス不要周波数上の信号のRSSI値の統計を決定し、ライセンス不要周波数上の信号のRSSI値統計結果を取得し、ライセンス不要周波数上の信号のRSSI値統計結果を無線リソース制御層に送る。
【００３３】
本発明の実施形態の第3の態様、または本発明の実施形態の第3の態様の第1から第9の可能な実施態様のいずれか1つに関連して、本発明の実施形態の第3の態様の第10の可能な実施態様において、構成情報は周波数指示情報をさらに含み、ユーザ機器は、周波数指示情報に従って、信号のRSSI値統計結果を取得する必要があるライセンス不要周波数を決定する。
【００３４】
本発明の実施形態の第4の態様は基地局を開示し、本基地局は、
ライセンス不要周波数上の信号の受信信号強度表示信号RSSI値を検出するために使用される構成情報をユーザ機器に送信するように構成された通信モジュールであって、構成情報は周波数指示情報を含み、ユーザ機器は、周波数指示情報に従って、信号のRSSI値統計結果を取得する必要があるライセンス不要周波数を決定し、
通信モジュールは、構成情報に従ってユーザ機器が取得したライセンス不要周波数上の信号のRSSI値統計結果を受信するようにさらに構成されている、通信モジュールと、
通信モジュールが受信したライセンス不要周波数上の信号のRSSI値統計結果に従って、ライセンス不要周波数がユーザ機器との通信に使用される遊休状態のライセンス不要周波数であるかどうかを判定するように構成された判定モジュールと
を含む。
【００３５】
本発明の実施形態の第4の態様の実施態様に関連して、本発明の実施形態の第4の態様の第1の可能な実施態様において、構成情報は、ライセンス不要周波数上の信号をサンプリングするために使用されるサンプリングパラメータ情報および／または少なくとも1つの統計ウィンドウを含み、サンプリングパラメータ情報はサンプリング間隔を含み、少なくとも1つの統計ウィンドウは、サンプリング時点におけるライセンス不要周波数上の信号のRSSI値の統計が決定される時間長である。
【００３６】
本発明の実施形態の第4の態様または本発明の実施形態の第4の態様の第1の可能な実施態様に関連して、本発明の実施形態の第4の態様の第2の可能な実施態様において、構成情報は、ユーザ機器をトリガしてライセンス不要周波数上の信号のRSSI値統計結果を報告させるために使用される報告条件をさらに含み、報告条件は、少なくとも1つの統計ウィンドウのうちの1つの統計ウィンドウに対応するライセンス不要周波数上の信号のRSSI値統計結果の1回限りの報告を行うこと、事前設定報告周期に従って周期的な報告を行うこと、または事前設定イベントを指示する、ライセンス不要周波数上の信号のRSSI値統計結果に含まれる情報に従ってイベントベースの報告を行うことのいずれか1つを含む。
【００３７】
本発明の実施形態の第4の態様または本発明の実施形態の第4の態様の第1もしくは第2の可能な実施態様に関連して、本発明の実施形態の第4の態様の第3の可能な実施態様において、構成情報は少なくとも1つのRSSI閾値をさらに含み、少なくとも1つのRSSI閾値は、少なくとも1つの統計ウィンドウの各々について、統計ウィンドウに含まれるサンプリング時点におけるライセンス不要周波数上の信号のRSSI値を少なくとも1つのRSSI値範囲に分割するために使用され、少なくとも1つのRSSI値範囲に含まれるサンプリング時点におけるRSSI値の数と、統計ウィンドウに含まれるサンプリング時点におけるライセンス不要周波数上の信号のRSSI値の総数との比が、ライセンス不要周波数上の信号のRSSI値統計結果として使用される。
【００３８】
本発明の実施形態の第4の態様または本発明の実施形態の第4の態様の第3の可能な実施態様に関連して、本発明の実施形態の第4の態様の第4の可能な実施態様において、ライセンス不要周波数上の信号のRSSI値統計結果は、少なくとも1つの統計ウィンドウに含まれるサンプリング時点におけるライセンス不要周波数上の信号のRSSI値の総数、ライセンス不要周波数上の信号がサンプリングされるサンプリング間隔、サンプリング時点におけるライセンス不要周波数上の信号のRSSI値の平均値、またはライセンス不要周波数上の信号の信号属性情報であって、信号属性情報が無線ローカル・エリア・ネットワークWLAN情報もしくはセル構成情報を含む、信号属性情報、の少なくとも1つまたはこれらの情報の組み合わせをさらに含む。
【００３９】
本発明の実施形態の第4の態様、または本発明の実施形態の第4の態様の第1から第4の可能な実施態様のいずれか1つに関連して、本発明の実施形態の第4の態様の第5の可能な実施態様において、サンプリングパラメータ情報は、ライセンス不要周波数に対応するサンプリングウィンドウおよびサンプリングウィンドウ周期をさらに含み、サンプリングウィンドウは、各サンプリングウィンドウ周期においてライセンス不要周波数上の信号がサンプリングされる時間長を指示するために使用され、サンプリング間隔の時間長はサンプリングウィンドウの時間長よりも短い。
【００４０】
本発明の実施形態の第4の態様、または本発明の実施形態の第4の態様の第1から第4の可能な実施態様のいずれか1つに関連して、本発明の実施形態の第4の態様の第5の可能な実施態様において、サンプリングパラメータ情報は、測定時間長および測定周期をさらに含み、測定時間長は、各測定周期においてライセンス不要周波数上の信号がサンプリングされる時間長を指示するために使用され、サンプリング間隔の時間長は測定時間長の時間長よりも短い。
【００４１】
本発明の実施形態では、ユーザ機器は、ライセンス不要周波数上の信号の受信信号強度表示信号RSSI値を検出するために使用される構成情報を取得し、構成情報内のサンプリング間隔に従ってライセンス不要周波数上の信号をサンプリングし、サンプリング時点におけるライセンス不要周波数上の信号のRSSI値を取得し、構成情報内の少なくとも1つの統計ウィンドウに含まれるサンプリング時点におけるライセンス不要周波数上の信号のRSSI値の統計を決定し、ライセンス不要周波数上の信号のRSSI値統計結果を取得し、RSSI値統計結果を基地局に報告することができる。ユーザ機器は、ライセンス不要周波数上の信号をサンプリングし、ユーザ機器から特定の範囲内のライセンス不要周波数を使用してすべての信号を取得することができ、それによって、ユーザ機器が選択された遊休状態のライセンス不要周波数を使用する場合のユーザ機器への隠れた基地局の干渉が回避される。さらに、本発明の実施形態では、複数のサンプリング時点におけるライセンス不要周波数上の信号のRSSI値が取得され、複数のサンプリング時点におけるライセンス不要周波数上の信号のRSSI値の統計が決定されて、ライセンス不要周波数上の信号のRSSI値統計結果が取得され、それによって、ユーザ機器にサービスを提供する基地局が遊休状態のライセンス不要周波数を選択する際に従うRSSI値の正確さがさらに向上する。
【００４２】
本発明の実施形態における技術的解決策をより明確に説明するために、以下で、これらの実施形態を説明するために必要な添付の図面について簡単に述べる。当然ながら、以下の説明の添付の図面は本発明の一部の実施形態を示すものであり、当業者は、これら添付の図面から難なく他の図面をさらに導出することができる。
【図面の簡単な説明】
【００４３】
【図１】本発明の一実施形態によるシステムアーキテクチャの概略図である。
【図２】本発明の一実施形態による別のシステムアーキテクチャの概略図である。
【図３】本発明の一実施形態による別のシステムアーキテクチャの概略図である。
【図４】本発明の一実施形態による信号処理方法の概略流れ図である。
【図５ａ】本発明の実施形態によるライセンス不要周波数上の信号のサンプリングの概略図である。
【図５ｂ】本発明の実施形態によるライセンス不要周波数上の信号のサンプリングの概略図である。
【図５ｃ】本発明の実施形態によるライセンス不要周波数上の信号のサンプリングの概略図である。
【図６】本発明の一実施形態による別の信号処理方法の概略流れ図である。
【図７】本発明の一実施形態による別の信号処理方法の概略流れ図である。
【図８】本発明の一実施形態によるユーザ機器の概略構造図である。
【図９】本発明の一実施形態による別のユーザ機器の概略構造図である。
【図１０】本発明の一実施形態による基地局の概略構造図である。
【図１１】本発明の一実施形態による別のユーザ機器の概略構造図である。
【図１２】本発明の一実施形態による別の基地局の概略構造図である。
【発明を実施するための形態】
【００４４】
以下で、本発明の実施形態における添付の図面に関連して、本発明の実施形態における技術解決策を明確に説明する。当然ながら、説明する実施形態は本発明の実施形態の全部ではなく一部にすぎない。本発明の実施形態に基づいて当業者により難なく得られる他のすべての実施形態は、本発明の保護範囲内に含まれるものとする。
【００４５】
図1から図3を参照すると、図1から図3は各々、本発明の一実施形態によるシステムアーキテクチャの概略図である。本発明の一実施形態で開示する信号処理方法は、前述の3つのシステムアーキテクチャに適用できるが、それらに限定されない。図1に示すように、1台のユーザ機器が1台の基地局を使用してコアネットワークに接続される。基地局は2つの搬送波を含み、一方はライセンス周波数に対応するライセンス搬送波であり、他方はライセンス不要周波数に対応するライセンス不要搬送波である。図2に示すように、1台のユーザ機器が複数の基地局を使用してコアネットワークに接続される。基地局のうちの1台は2つの搬送波を含むことができ、やはり同様に、一方はライセンス周波数に対応するライセンス搬送波であり、他方はライセンス不要周波数に対応するライセンス不要搬送波である。図3に示すように、1台のユーザ機器がまず、ある搬送波を使用して基地局に接続されてもよく、次いで基地局は基地局コントローラに接続され、1台のユーザ機器は、基地局コントローラを使用してコアネットワークに接続される。やはり同様に、基地局は2つの搬送波を含むことができ、やはり同様に、一方はライセンス周波数に対応するライセンス搬送波であり、他方はライセンス不要周波数に対応するライセンス不要搬送波である。図1から図3のライセンス不要周波数について、本発明の実施形態で開示する信号処理方法では、ライセンス不要周波数上の信号のRSSI値統計結果が取得されることができ、そのため基地局は、ユーザ機器と基地局との間の情報交換のための搬送波として遊休状態のライセンス不要周波数を選択する。本信号処理方法は、ユーザ機器にサービスを提供する基地局が遊休状態のライセンス不要周波数を選択する際に従うRSSI値の正確さを向上させることができる。以下で詳細な説明を個別に行う。
【００４６】
図4を参照すると、図4は、本発明の一実施形態による信号処理方法の概略流れ図である。図4に示す信号処理方法はユーザ機器の視点から記述されている。図4に示すように、本信号処理方法は以下のステップを含むことができる。
【００４７】
S101．ユーザ機器は、ライセンス不要周波数上の信号の受信信号強度表示信号RSSI値を検出するために使用される構成情報を取得し、構成情報は、ライセンス不要周波数上の信号のものであるサンプリングパラメータ情報および少なくとも1つの統計ウィンドウを含み、サンプリングパラメータ情報はサンプリング間隔を含み、少なくとも1つの統計ウィンドウは、サンプリング時点におけるライセンス不要周波数上の信号のRSSI値の統計が決定される時間長である。
【００４８】
本発明の本実施形態では、ライセンス不要周波数上の信号の受信信号強度表示信号（Received Signal Strength Indicator、RSSI）値を検出するために使用される構成情報内のサンプリングパラメータ情報および統計ウィンドウは、基地局から受信してもよく、ユーザ機器が事前設定してもよい。基地局から構成情報を受信する方法は、電力消費要件または遊休状態のライセンス不要周波数選択の正確さの要件に従って基地局が構成情報を設定することであってよい。ユーザ機器から構成情報を直接取得する方法は、ユーザ機器と基地局との間の通信リソース、シグナリングオーバーヘッドなどを低減させることができる。構成情報は、複数の異なるライセンス不要周波数を含む。ライセンス不要周波数は、異なるサンプリングパラメータ情報に対応していてもよく、同じサンプリングパラメータ情報に対応していてもよい。これについては本発明の本実施形態では限定されない。
【００４９】
具体的には、サンプリング間隔は、2回のサンプリングごとの時間間隔を指示する。例えば、サンプリング間隔は、1つのサブフレームまたは1つのシンボルとすることができ、これはサンプリングが各サブフレームまたは各シンボルごとに1回行われることを指示する。さらに、各回のサンプリングは、ユーザ機器による各回のサンプリングの測定時間長を指示するサンプリング持続期間を含む。サンプリング持続期間がサンプリング間隔と等しい場合、それは、ユーザ機器が連続したサンプリングを行うことを指示する。サンプリング持続期間は、事前定義された時間長であっても、基地局によって構成された時間長であってもよい。
【００５０】
S102．ユーザ機器は、サンプリング間隔でライセンス不要周波数上の信号をサンプリングし、サンプリング時点におけるライセンス不要周波数上の信号のRSSI値を取得する。
【００５１】
本発明の本実施形態では、図5aを参照すると、図5aは、本発明の一実施形態によるライセンス不要周波数上の信号のサンプリングの概略図である。図5aに示すように、ユーザ機器は、サンプリング間隔でライセンス不要周波数上の信号をサンプリングし、サンプリング時点におけるライセンス不要周波数上の信号のRSSI値を取得する。サンプリング時点におけるRSSI値はサンプリング時点におけるライセンス不要周波数の遊休度を指示し、RSSI値が小さいほどライセンス不要周波数はサンプリング時点においてより遊休度が高いことを指示する。
【００５２】
別の任意選択の実施態様では、サンプリングパラメータ情報は、測定時間長および測定周期をさらに含み、ユーザ機器が、サンプリング間隔でライセンス不要周波数上の信号をサンプリングし、サンプリング時点におけるライセンス不要周波数上の信号のRSSI値を取得するステップは、
ライセンス不要周波数上の信号について、測定時間長および測定周期に従ってサンプリング間隔でライセンス不要周波数上の信号をサンプリングし、サンプリング時点におけるライセンス不要周波数上の信号のRSSI値を取得するステップ
を含む。
【００５３】
S103．ユーザ機器は、ライセンス不要周波数上の信号のものである、少なくとも1つの統計ウィンドウに含まれるサンプリングされたRSSI値の統計を決定し、ライセンス不要周波数上の信号のRSSI値統計結果を取得する。
【００５４】
本発明の本実施形態では、図5aに示すように、ユーザ機器は、統計ウィンドウに対応する時間長を単位として使用して、サンプリング時点におけるライセンス不要周波数上の信号のRSSI値の統計を決定し、ライセンス不要周波数上の信号のRSSI値統計結果を取得する。ライセンス不要周波数上の信号のRSSI値統計結果は、複数の統計ウィンドウに対応するライセンス不要周波数上の信号のRSSI値統計結果を含むことができる。
【００５５】
本発明の本実施形態では、構成情報は、少なくとも1つのRSSI閾値をさらに含むことができる。これに対応して、ステップS103で、ユーザ機器が、ライセンス不要周波数上の信号のものである、少なくとも1つの統計ウィンドウに含まれるサンプリングされたRSSI値の統計を決定し、ライセンス不要周波数上の信号のRSSI値統計結果を取得するステップは、少なくとも1つのRSSI閾値に従って、少なくとも1つの統計ウィンドウの各々について、統計ウィンドウに対応するサンプリング時点におけるライセンス不要周波数上の信号のRSSI値を少なくとも1つのRSSI値範囲に分割するステップ、およびライセンス不要周波数上の信号の少なくとも1つのRSSI値範囲に含まれるRSSI値の数と、統計ウィンドウ内のサンプリング時点におけるRSSI値の総数との比を取得し、ライセンス不要周波数上の信号の少なくとも1つのRSSI値範囲の比を統計結果として使用するステップ、とすることができる。
【００５６】
例えば、1つの統計ウィンドウに含まれるサンプリング時点におけるRSSI値の数は、統計ウィンドウの時間長およびサンプリング間隔の時間長に従って決定され得る。構成情報は、RSSI閾値Aである1つのRSSI閾値を含むものと設定する。図5aに示すように、1つの統計ウィンドウは8つのサンプリング時点におけるRSSI値を含むことができる。すなわち、1つの統計ウィンドウに対応するライセンス不要周波数上の信号のRSSI値統計結果は、8つのRSSI値、8つのRSSI値の平均RSSI値、およびRSSI閾値Aよりも大きいRSSI値の数と8つのRSSI値との比、および／または事前設定RSSI閾値Aよりも小さいRSSI値の数と8つのRSSI値との比を含むことができる。これに対応して、図5aに示すように、構成情報は別のRSSI閾値Bをさらに含む。統計ウィンドウに対応するサンプリング時点におけるライセンス不要周波数上の信号のRSSI値は、RSSI閾値AおよびRSSI閾値Bに従って複数の範囲に分割され得る。表1に示すように、RSSI閾値Aよりも小さいRSSI値はサンプリング時点5におけるRSSI値R5であり、比は1／8である。RSSI閾値Aよりも大きく、RSSI閾値Bよりも小さいRSSI値は、サンプリング時点6およびサンプリング時点7におけるRSSI値R6およびRSSI値R7であり、比は1／4である。RSSI閾値Bよりも大きいRSSI値は、サンプリング時点1、サンプリング時点2、サンプリング時点3、サンプリング時点4、およびサンプリング時点8におけるRSSI値R1、RSSI値R2、RSSI値R3、RSSI値R4、およびRSSI値R8であり、比は5／8である。この場合、1つの統計ウィンドウに対応するライセンス不要周波数上の信号のRSSI値統計結果は、少なくとも1つのRSSI値範囲に含まれるサンプリング時点におけるRSSI値、および少なくとも1つのRSSI値範囲に含まれるサンプリング時点におけるRSSI値と統計ウィンドウ内のサンプリング時点におけるRSSI値の総数との比をさらに含むことができる。
【００５７】
【表１】
0006577135.tif 000002
【００５８】
任意選択の実施態様では、構成情報内のサンプリングパラメータ情報は、ライセンス不要周波数に対応するサンプリングウィンドウおよびサンプリングウィンドウ周期をさらに含むことができ、サンプリングウィンドウは、各サンプリングウィンドウ周期においてライセンス不要周波数上の信号がサンプリングされる時間長を指示するために使用され、サンプリング間隔の時間長はサンプリングウィンドウの時間長よりも短い。複数のライセンス不要周波数上の信号をサンプリングする必要がある場合、それぞれのサンプリングウィンドウまたはサンプリングウィンドウ周期がライセンス不要周波数ごとに構成され得る。これに対応して、ステップS102で、ユーザ機器が、サンプリング間隔でライセンス不要周波数上の信号をサンプリングし、サンプリング時点におけるライセンス不要周波数上の信号のRSSI値を取得するステップは、
ライセンス不要周波数上の信号について、サンプリングウィンドウの時間長およびサンプリングウィンドウ周期に従ってサンプリング間隔でライセンス不要周波数上の信号をサンプリングし、サンプリング時点におけるライセンス不要周波数上の信号のRSSI値を取得するステップ
とすることができる。
【００５９】
これに対応して、ステップS103で、ユーザ機器が、少なくとも1つの統計ウィンドウに含まれるサンプリング時点におけるライセンス不要周波数上の信号のRSSI値の統計を決定し、ライセンス不要周波数上の信号のRSSI値統計結果を取得するステップは、サンプリングウィンドウ周期に従ってユーザ機器が、1つの統計ウィンドウに含まれる少なくとも1つのサンプリングウィンドウの数を決定し、少なくとも1つのサンプリングウィンドウの数の各々に含まれるサンプリングされたRSSI値の統計を決定し、1つの統計ウィンドウに対応するライセンス不要周波数上の信号のRSSI値統計結果を取得し、少なくとも1つの統計ウィンドウに対応するライセンス不要周波数上の信号のRSSI値統計結果を取得し、統計結果を、ライセンス不要周波数上の信号のRSSI値統計結果として使用するステップ、とすることができる。本発明の本実施形態では、構成情報内の複数の異なるライセンス不要周波数が、異なるサンプリングウィンドウおよびサンプリングウィンドウ周期に対応し得ることに留意されたい。
【００６０】
例えば、図5bに示すように、各サンプリングウィンドウ周期に含まれるサンプリングウィンドウは、サンプリング間隔の時間長および1つの統計ウィンドウに従って2つのサンプリング時点を含むことができる。統計が決定される1つの統計ウィンドウは、2つのサンプリングウィンドウを含むことができる。この場合、2つのサンプリングウィンドウに含まれるサンプリング時点におけるライセンス不要周波数上の信号のRSSI値の統計が決定され、ライセンス不要周波数上の信号のRSSI値統計結果が取得される。例えば、ライセンス不要周波数上の信号のRSSI値統計結果は、サンプリング時点1、サンプリング時点2、サンプリング時点3、およびサンプリング時点4におけるRSSI値R1、RSSI値R2、RSSI値R3、およびRSSI値R4、RSSI閾値Aよりも大きく、RSSI閾値Bよりも小さい統計ウィンドウ内のサンプリング時点におけるRSSI値はR3およびR4であること、RSSI閾値Bよりも大きい統計ウィンドウ内のサンプリング時点におけるRSSI値はR1およびR2であること、ならびに統計ウィンドウに含まれる各サンプリングウィンドウを含むことができる。
【００６１】
別の任意選択の実施態様では、サンプリング時間は、測定時間長および測定周期を構成することによって制御され得る。加えて、構成情報は周波数指示情報をさらに含み、ユーザ機器は、周波数指示情報に従って、信号のRSSI値統計結果を取得する必要があるライセンス不要周波数を決定する。複数のライセンス不要周波数が周波数指示情報に従って決定されてよい。複数のライセンス不要周波数を測定する必要がある場合、複数のライセンス不要周波数は、測定時間長および測定周期を使用して制御されるサンプリング時間に順に測定される。これに対応して、ステップS102で、ユーザ機器が、サンプリング間隔でライセンス不要周波数上の信号をサンプリングし、サンプリング時点におけるライセンス不要周波数上の信号のRSSI値を取得するステップは、ライセンス不要周波数上の信号について、測定時間長および測定周期に従ってサンプリング間隔で測定周期の測定時間長においてライセンス不要周波数上の信号をサンプリングし、サンプリング時点におけるライセンス不要周波数上の信号のRSSI値を取得するステップ、とすることができる。複数のライセンス不要周波数を測定する必要がある場合、測定時間長を使用して順に複数のライセンス不要周波数上の信号がサンプリングされる。例えば、異なるライセンス不要周波数上の信号が、サンプリング間隔で異なる測定周期の測定時間長においてサンプリングされ得る。これに対応して、ステップS103で、統計ウィンドウに従ってサンプリング時点におけるライセンス不要周波数上の信号のRSSI値の統計を決定し、ライセンス不要周波数上の信号のRSSI値統計結果を取得するステップは、測定時間長および測定周期に従って少なくとも1つの統計ウィンドウの各々について、統計ウィンドウに含まれる少なくとも1つの測定時間長を決定するステップ、ならびに各統計ウィンドウに含まれる少なくとも1つの測定時間長の各々におけるライセンス不要周波数上の信号のサンプリングされたRSSI値の統計を決定し、ライセンス不要周波数上の信号のRSSI値統計結果を取得するステップ、とすることができる。
【００６２】
例えば、図5cに示すように、各測定周期に含まれる測定時間長は、サンプリング間隔の時間長に従って2つのサンプリング時点を含むことができる。これに対応して、統計ウィンドウの時間長に従って、1つの統計ウィンドウは2つの測定時間長を含むことができると決定され得る。2つの測定時間長に含まれるサンプリング時点におけるライセンス不要周波数上の信号のRSSI値の統計が決定され、ライセンス不要周波数上の信号のRSSI値統計結果が取得される。例えば、統計ウィンドウに含まれる2つの測定時間長において、第1の測定時間長に含まれるサンプリングされたRSSI値はどちらもRSSI閾値Bよりも大きく、第2の測定時間長に含まれるサンプリングされたRSSI値はどちらもRSSI閾値Bよりも小さい。
【００６３】
S104．ユーザ機器は、ライセンス不要周波数上の信号のRSSI値統計結果を基地局に報告する。
【００６４】
本発明の本実施形態では、ユーザ機器は、基地局をトリガして、複数のライセンス不要周波数上の信号のRSSI値統計結果に従って、遊休状態のライセンス不要周波数を選択させるために、ライセンス不要周波数上の信号のRSSI値統計結果を基地局に別々に報告してもよく、複数の不要周波数上の信号のRSSI値統計結果を基地局に同時に報告してもよい。これについては本発明の本実施形態では限定されない。
【００６５】
本発明の本実施形態では、ライセンス不要周波数上の信号のRSSI値統計結果は、少なくとも1つの統計ウィンドウに含まれるサンプリング時点におけるライセンス不要周波数上の信号のRSSI値の総数、ライセンス不要周波数上の信号がサンプリングされるサンプリング間隔、サンプリング時点におけるライセンス不要周波数上の信号のRSSI値の平均値、またはライセンス不要周波数上の信号の信号属性情報であって、信号属性情報が無線ローカル・エリア・ネットワークWLAN構成情報もしくはセル構成情報を含む、信号属性情報、の少なくとも1つまたはこれらの情報の組み合わせを含むことができる。
【００６６】
本発明の本実施形態では、ユーザ機器は、物理層および無線リソース制御層を有する。物理層は、サンプリング間隔でライセンス不要周波数上の信号をサンプリングし、サンプリング時点におけるライセンス不要周波数上の信号のRSSI値を取得し、サンプリング時点におけるライセンス不要周波数上の信号のRSSI値を無線リソース制御層に送り、無線リソース制御層は、少なくとも1つの統計ウィンドウに含まれるサンプリング時点におけるライセンス不要周波数上の信号のRSSI値の統計を決定し、ライセンス不要周波数上の信号のRSSI値統計結果を取得する。あるいは、物理層は、サンプリング間隔でライセンス不要周波数上の信号をサンプリングし、サンプリング時点におけるライセンス不要周波数上の信号のRSSI値を取得し、少なくとも1つの統計ウィンドウに含まれるサンプリング時点におけるライセンス不要周波数上の信号のRSSI値の統計を決定し、ライセンス不要周波数上の信号のRSSI値統計結果を取得し、ライセンス不要周波数上の信号のRSSI値統計結果を無線リソース制御層に送る。無線リソース制御層は、基地局をトリガして、ライセンス不要周波数上の信号のRSSI値統計結果に従って、遊休状態のライセンス不要周波数を選択させるために、ライセンス不要周波数上の信号のRSSI値統計結果を基地局に報告する。
【００６７】
任意選択の実施態様では、構成情報が報告条件をさらに含み、報告条件が事前設定イベントに従った報告である場合、ステップS104を行う前に、ユーザ機器は、ライセンス不要周波数上の信号のRSSI値統計結果が事前設定イベントを指示する情報を含むかどうかさらに判定することができ、RSSI値統計結果が事前設定イベントを指示する情報を含む場合、ユーザ機器は、基地局をトリガして、RSSI値統計結果に従って遊休状態のライセンス不要周波数を選択させるために、ライセンス不要周波数上の信号のRSSI値統計結果を基地局に報告するステップS104を行う。本実施態様では、RSSI値統計結果が事前設定イベントを指示する情報を含む場合、ライセンス不要周波数上の信号のRSSI値統計結果が基地局に報告されることができ、そのため基地局は、ライセンス不要周波数の現在の状態を適時に知り、事前設定イベントに従って遊休状態のライセンス不要周波数をより正確に選択することができる。
【００６８】
本発明の本実施形態では、事前設定イベントを指示する情報は、RSSI閾値よりも大きい、または小さい1つの統計ウィンドウ内のサンプリング時点におけるRSSI値の数と、統計ウィンドウ内のすべてのサンプリング時点におけるRSSI値の数との比が事前設定比よりも大きいことを指示する情報であってもよく、ライセンス不要周波数に対応するRSSI値統計結果内の統計ウィンドウ内のサンプリングされたRSSI値の平均値が特定のライセンス周波数に対応するRSSI値よりも大きい、または小さいことを指示する情報であってもよい。
【００６９】
図4に記載される信号処理方法では、ユーザ機器は、ライセンス不要周波数上の信号の受信信号強度表示信号RSSI値を検出するために使用される構成情報を取得し、構成情報内のサンプリング間隔に従ってライセンス不要周波数上の信号をサンプリングし、サンプリング時点におけるライセンス不要周波数上の信号のRSSI値を取得し、構成情報内の少なくとも1つの統計ウィンドウに含まれるサンプリング時点におけるライセンス不要周波数上の信号のRSSI値の統計を決定し、ライセンス不要周波数上の信号のRSSI値統計結果を取得し、RSSI値統計結果を基地局に報告することができる。本発明の本実施形態では、ユーザ機器は、ライセンス不要周波数上の信号をサンプリングし、ユーザ機器から特定の範囲内のライセンス不要周波数を使用してすべての信号を取得することができ、それによって、ユーザ機器が選択された遊休状態のライセンス不要周波数を使用するときのユーザ機器への隠れた基地局の干渉が回避されることが分かる。さらに、本発明の本実施形態では、複数のサンプリング時点におけるライセンス不要周波数上の信号のRSSI値が取得され、複数のサンプリング時点におけるライセンス不要周波数上の信号のRSSI値の統計が決定されて、ライセンス不要周波数上の信号のRSSI値統計結果が取得され、それによって、ユーザ機器にサービスを提供する基地局が遊休状態のライセンス不要周波数を選択する際に従うRSSI値の正確さがさらに向上する。
【００７０】
図6を参照すると、図6は、本発明の一実施形態による別の信号処理方法の概略流れ図である。図6に示す信号処理方法と図4に示す信号処理方法との違いは、図6に示す信号処理方法における構成情報は報告条件をさらに含むことができ、ユーザ機器が報告条件に従ってライセンス不要周波数上の信号のRSSI値統計結果を基地局に報告することができる点にある。具体的には、本信号処理方法は以下のステップを含むことができる。
【００７１】
S201．ユーザ機器は、ライセンス不要周波数上の信号の受信信号強度表示信号RSSI値を検出するために使用される構成情報を取得する。
【００７２】
構成情報は、ライセンス不要周波数に対応するサンプリングパラメータ情報および統計ウィンドウを含み、サンプリングパラメータ情報はサンプリング間隔を含み、少なくとも1つの統計ウィンドウは、サンプリング時点におけるライセンス不要周波数上の信号のRSSI値の統計が決定される時間長である。
【００７３】
S202．ユーザ機器は、サンプリング間隔でライセンス不要周波数上の信号をサンプリングし、サンプリング時点におけるライセンス不要周波数上の信号のRSSI値を取得する。
【００７４】
S203．ユーザ機器は、少なくとも1つの統計ウィンドウに含まれるサンプリング時点におけるライセンス不要周波数上の信号のRSSI値の統計を決定し、ライセンス不要周波数上の信号のRSSI値統計結果を取得する。
【００７５】
S204．ユーザ機器は、報告条件に従ってライセンス不要周波数上の信号のRSSI値統計結果を基地局に報告する。
【００７６】
本発明の本実施形態では、ユーザ機器は、基地局をトリガして、ライセンス不要周波数上の信号のRSSI値統計結果に従って、遊休状態のライセンス不要周波数を選択させるために、報告条件に従ってライセンス不要周波数上の信号のRSSI値統計結果を基地局に報告する。
【００７７】
本発明の本実施形態では、ステップS201からステップS203は本発明の前述の実施形態におけるステップS101からステップS103と同じである。したがって、本発明の前述の実施形態における関連実施態様および説明を参照されたく、本発明の本実施形態では詳細を繰り返さない。
【００７８】
任意選択の実施態様では、構成情報内の報告条件が1回限りの報告である場合、ステップS204で、ユーザ機器が、報告条件に従ってライセンス不要周波数上の信号のRSSI値統計結果を基地局に報告するステップは、ユーザ機器が基地局に、1つの統計ウィンドウに対応するライセンス不要周波数上の信号のRSSI値統計結果を報告するステップ、とすることができる。ユーザ機器はさらに、サンプリング間隔でのライセンス不要周波数上の信号のサンプリングを停止するよう制御することができる。この実施態様は、ユーザ機器にサービスを提供する基地局が遊休状態のライセンス不要周波数を選択する際に従うRSSI値の正確さを向上させることができるのみならず、1回限りの報告の間のユーザ機器および基地局の電力消費を低減させることもできる。
【００７９】
別の任意選択の実施態様では、構成情報内の報告条件が事前設定報告周期に従った報告である場合、ステップS204で、ユーザ機器が、報告条件に従ってライセンス不要周波数上の信号のRSSI値統計結果を基地局に報告するステップは、ユーザ機器が、事前設定報告周期に含まれる統計ウィンドウの目標数を決定するステップ、および、基地局に、統計ウィンドウの目標数に対応するライセンス不要周波数上の信号のRSSI値統計結果を報告するステップ、とすることができる。この実施態様は、ユーザ機器にサービスを提供する基地局が遊休状態のライセンス不要周波数を選択する際に従うRSSI値の正確さを向上させることができ、そのため基地局は、各周期内の遊休状態のライセンス不要周波数をより正確に選択するように、相対的に高い正確さを有するRSSI値に従って各周期内のライセンス不要周波数の遊休度を評価する。
【００８０】
例えば、事前設定報告周期が6秒であり、統計ウィンドウの時間長が2秒である場合、事前設定報告周期に含まれる統計ウィンドウの目標数は6／2＝3であると判定されることができる、3つの統計ウィンドウに対応するライセンス不要周波数上の信号のRSSI値統計結果が基地局に報告され得る。
【００８１】
図6に記載される信号処理方法では、ユーザ機器は、ライセンス不要周波数上の信号のRSSI値を検出するために使用される構成情報を取得し、構成情報内のサンプリングパラメータ情報に含まれるサンプリング間隔に従って各ライセンス不要周波数上の信号をサンプリングし、サンプリング時点における各ライセンス不要周波数上の信号のRSSI値を取得し、統計ウィンドウに従ってサンプリング時点におけるライセンス不要周波数上の信号のRSSI値の統計を決定し、ライセンス不要周波数上の信号のRSSI値統計結果を取得し、構成情報内の報告条件によって指示される1回限りの報告または事前設定報告周期に従った報告に従って基地局にライセンス不要周波数上の信号のRSSI値統計結果を報告する。本発明の本実施形態では、ユーザ機器にサービスを提供する基地局が遊休状態のライセンス不要周波数を選択する際に従うRSSI値の正確さを向上させることができるのみならず、ユーザ機器または基地局の電力消費を低減させることもできることが分かる。
【００８２】
図7を参照すると、図7は、本発明の一実施形態による別の信号処理方法の概略流れ図である。図7に示す信号処理方法は基地局の視点から記述されている。具体的には、図7に示すように、本信号処理方法は以下のステップを含むことができる。
【００８３】
S301．基地局が、ユーザ機器に、ライセンス不要周波数上の信号の受信信号強度表示信号RSSI値を検出するために使用される構成情報を送信する。
【００８４】
本発明の本実施形態では、構成情報は、ライセンス不要周波数上の信号のものであるサンプリングパラメータ情報および／または統計ウィンドウを含み、サンプリングパラメータ情報はサンプリング間隔を含む。ユーザ機器は、サンプリング間隔でライセンス不要周波数上の信号をサンプリングし、ライセンス不要周波数上の信号のサンプリングされたRSSI値を取得し、ユーザ機器は、少なくとも1つの統計ウィンドウに含まれるサンプリング時点におけるライセンス不要周波数上の信号のRSSI値の統計を決定し、ライセンス不要周波数上の信号のRSSI値統計結果を取得し、ユーザ機器は、ライセンス不要周波数上の信号のRSSI値統計結果を基地局に報告する。
【００８５】
S302．基地局は、構成情報に従ってユーザ機器が取得したライセンス不要周波数上の信号のRSSI値統計結果を受信する。
【００８６】
S303．基地局は、ライセンス不要周波数上の信号のRSSI値統計結果に従って、ライセンス不要周波数がユーザ機器との通信に使用される遊休状態のライセンス不要周波数であるかどうかを判定する。
【００８７】
本発明の本実施形態では、構成情報は、ユーザ機器をトリガしてライセンス不要周波数上の信号のRSSI値統計結果を報告させるために使用される報告条件をさらに含むことができ、報告条件は、1つの統計ウィンドウに対応するRSSI値統計結果の1回限りの報告を行うこと、事前設定報告周期に従って周期的な報告を行うこと、または事前設定イベントを指示する、RSSI値統計結果に含まれる情報に従ってイベントベースの報告を行うことのいずれか1つを含む。
【００８８】
本発明の本実施形態では、構成情報は少なくとも1つの閾値をさらに含むことができ、少なくとも1つの閾値は、サンプリング時点におけるライセンス不要周波数上の信号のRSSI値を複数のRSSI値範囲に分割するために使用され、そのため、RSSI値範囲に含まれるサンプリング時点におけるRSSI値の数の比が、ライセンス不要周波数上の信号のRSSI値統計結果として使用される。
【００８９】
本発明の本実施形態では、ライセンス不要周波数上の信号のRSSI値統計結果は、少なくとも1つの統計ウィンドウに含まれるサンプリング時点におけるライセンス不要周波数上の信号のRSSI値の総数、ライセンス不要周波数上の信号がサンプリングされるサンプリング間隔、サンプリング時点におけるライセンス不要周波数上の信号のRSSI値の平均値、またはライセンス不要周波数上の信号の信号属性情報であって、信号属性情報が無線ローカル・エリア・ネットワークWLAN情報もしくはセル構成情報を含む、信号属性情報、の少なくとも1つまたはこれらの情報の組み合わせをさらに含む。
【００９０】
本発明の本実施形態では、サンプリングパラメータ情報は、ライセンス不要周波数に対応するサンプリングウィンドウおよびサンプリングウィンドウ周期をさらに含み、サンプリングウィンドウは、各サンプリングウィンドウ周期においてライセンス不要周波数上の信号がサンプリングされる時間長を指示するために使用され、サンプリング間隔の時間長はサンプリングウィンドウの時間長よりも短い。構成情報内の複数の異なるライセンス不要周波数は、異なるサンプリングウィンドウおよびサンプリングウィンドウ周期に対応していてよい。
【００９１】
本発明の本実施形態では、サンプリングパラメータ情報は、測定時間長および測定周期をさらに含み、測定時間長は、各測定周期においてライセンス不要周波数上の信号がサンプリングされる時間長を指示するために使用され、サンプリング間隔の時間長は測定時間長の時間長よりも短い。構成情報内の複数のライセンス不要周波数は、同じ測定時間長および同じ測定周期を有していてよい。
【００９２】
本発明の本実施形態では、ステップS301を行う前に、本基地局は、ユーザ機器がライセンス不要周波数上の信号のRSSI値統計結果を取得し、RSSI値統計結果を基地局に報告することができるかどうか、またはユーザ機器がライセンス不要周波数上の信号のRSSI値統計結果を取得し、RSSI値統計結果を基地局に報告する関連動作を行う用意があるかどうかユーザ機器に問い合わせる問い合わせ命令をさらに送信してもよい。ユーザ機器が問い合わせ命令に応答して確認メッセージを返した場合、ステップS301からステップS303が行われる。
【００９３】
図7に記載される信号処理方法では、基地局は、ライセンス不要周波数上の信号のRSSI値を検出するために使用される構成情報をユーザ機器に送信し、構成情報に従ってユーザ機器が取得したライセンス不要周波数上の信号のRSSI値統計結果を受信することができる。本発明の本実施形態では、ユーザ機器は、構成情報に従ってライセンス不要周波数上の信号のRSSI値統計結果を取得し、そのため、ユーザ機器にサービスを提供する基地局が、ライセンス不要周波数上の信号のRSSI値統計結果を取得するプロセスにおいて隠れた基地局の信号を検出することができず、その結果ユーザ機器が、選択されたライセンス不要周波数を使用するときに隠れた基地局による干渉を受けることになるのを回避することができる。加えて、基地局は、ライセンス不要周波数上の信号のRSSI値統計結果に従って、ライセンス不要周波数がユーザ機器との通信に使用される遊休状態のライセンス不要周波数であるかどうかを判定する。したがって、基地局が遊休状態のライセンス不要周波数を選択する際に従うRSSI値の正確さが向上し、さらに、決定された遊休状態のライセンス不要周波数の正確さを向上させることができる。
【００９４】
図8を参照すると、図8は、本発明の一実施形態によるユーザ機器の概略構造図である。図8に示すように、ユーザ機器は、取得モジュール410と、サンプリングモジュール420と、統計決定モジュール430と、報告モジュール440とを含むことができる。
【００９５】
取得モジュール410は、ライセンス不要周波数上の信号の受信信号強度表示信号RSSI値を検出するために使用される構成情報を取得するように構成されている。
【００９６】
構成情報は、ライセンス不要周波数上の信号のものであるサンプリングパラメータ情報および少なくとも1つの統計ウィンドウを含み、サンプリングパラメータ情報はサンプリング間隔を含み、少なくとも1つの統計ウィンドウは、サンプリング時点におけるライセンス不要周波数上の信号のRSSI値の統計が決定される時間長である。
【００９７】
本発明の本実施形態では、ライセンス不要周波数上の信号の受信信号強度表示信号（Received Signal Strength Indicator、RSSI）値を検出するために使用される構成情報内のサンプリングパラメータ情報および統計ウィンドウは、基地局から受信してもよく、ユーザ機器が事前設定してもよい。基地局から構成情報を受信する方法は、電力消費要件または遊休状態のライセンス不要周波数選択の正確さの要件に従って基地局が構成情報を設定することであってよい。ユーザ機器から構成情報を直接取得する方法は、ユーザ機器と基地局との間の通信リソース、シグナリングオーバーヘッドなどを低減させることができる。構成情報は、複数の異なるライセンス不要周波数を含む。ライセンス不要周波数は、異なるサンプリングパラメータ情報に対応していてもよく、同じサンプリングパラメータ情報に対応していてもよい。これについては本発明の本実施形態では限定されない。具体的には、サンプリング間隔は、2回のサンプリングごとの時間間隔を指示する。例えば、サンプリング間隔は、1つのサブフレームまたは1つのシンボルとすることができ、これはサンプリングが各サブフレームまたは各シンボルごとに1回行われることを指示する。さらに、各回のサンプリングは、ユーザ機器による各回のサンプリングの測定時間長を指示するサンプリング持続期間を含む。サンプリング持続期間がサンプリング間隔と等しい場合、それは、ユーザ機器が連続したサンプリングを行うことを指示する。サンプリング持続期間は、事前定義された時間長であっても、基地局によって構成された時間長であってもよい。
【００９８】
サンプリングモジュール420は、サンプリング間隔でライセンス不要周波数上の信号をサンプリングし、サンプリング時点におけるライセンス不要周波数上の信号のRSSI値を取得するように構成されている。
【００９９】
統計決定モジュール430は、少なくとも1つの統計ウィンドウに含まれるサンプリング時点におけるライセンス不要周波数上の信号のRSSI値の統計を決定し、ライセンス不要周波数上の信号のRSSI値統計結果を取得するように構成されている。
【０１００】
報告モジュール440は、ライセンス不要周波数上の信号のRSSI値統計結果を基地局に報告するように構成されている。
【０１０１】
例えば、図5aに示すライセンス不要周波数上の信号のサンプリングの概略図を参照すると、サンプリングモジュール420は、サンプリング間隔でライセンス不要周波数上の信号をサンプリングし、サンプリング時点におけるライセンス不要周波数上の信号のRSSI値を取得することができる。サンプリング時点におけるRSSI値はサンプリング時点におけるライセンス不要周波数の遊休度を指示し、RSSI値が小さいほどライセンス不要周波数はサンプリング時点においてより遊休度が高いことを指示する。加えて、統計決定モジュール430は、統計ウィンドウに対応する時間長を単位として使用して、サンプリング時点におけるライセンス不要周波数上の信号のRSSI値の統計を決定し、ライセンス不要周波数上の信号のRSSI値統計結果を取得することができる。ライセンス不要周波数上の信号のRSSI値統計結果は、複数の統計ウィンドウに対応するライセンス不要周波数上の信号のRSSI値統計結果を含むことができる。
【０１０２】
また、図9を参照すると、図9は、本発明の一実施形態による別のユーザ機器の概略構造図である。図9に示すユーザ機器は、図8に示すユーザ機器を最適化することによって得られる。図9に示すユーザ機器は具体的には以下のとおりである。
【０１０３】
任意選択の実施態様では、構成情報は報告条件をさらに含むことができ、報告条件は1回限りの報告を指示し、報告モジュール440は、基地局に、少なくとも1つの統計ウィンドウのうちの1つの統計ウィンドウに対応するライセンス不要周波数上の信号のRSSI値統計結果を報告するように特に構成されている。
【０１０４】
これに対応して、図9に示すユーザ機器は、
報告モジュール440が、基地局に、少なくとも1つの統計ウィンドウのうちの1つの統計ウィンドウに対応するライセンス不要周波数上の信号のRSSI値統計結果を報告した後で、サンプリング間隔でのライセンス不要周波数上の信号のサンプリングを停止するよう制御する、ように構成された、制御モジュール450
をさらに含むことができる。
【０１０５】
任意選択の実施態様では、構成情報内の報告条件は事前設定報告周期に従った報告をさらに指示することができ、図9に示すユーザ機器内の報告モジュール440は、
事前設定報告周期に含まれる統計ウィンドウの数を決定するように構成された、決定ユニット441と、
基地局に、決定ユニット441によって決定された少なくとも1つの統計ウィンドウのうちの統計ウィンドウの数に対応するライセンス不要周波数上の信号のRSSI値統計結果を報告するように構成された、報告ユニット442と
を含むことができる。
【０１０６】
別の任意選択の実施態様では、構成情報内の報告条件は事前設定イベントに従った報告をさらに指示することができ、図9に示すユーザ機器は、
RSSI値統計結果が事前設定イベントを指示する情報を含むかどうかを判定し、RSSI値統計結果が事前設定イベントを指示する情報を含むと判定された場合、報告モジュールをトリガして、ライセンス不要周波数上の信号のRSSI値統計結果を基地局に報告する動作を行わせる、ように構成された、判定モジュール460
をさらに含むことができる。
【０１０７】
本発明の本実施形態の前述の3つの実施態様で記述した報告方法に対応するモジュールまたはユニットは、すべてユーザ機器に存在していてもよく、モジュールまたはユニットのうちの1つがユーザ機器に存在していてもよいことに留意されたい。本発明の本実施形態の図9では、すべてのモジュールまたはユニットが存在する例が使用されており、報告条件の特定の内容に従って対応する報告方法が使用される。
【０１０８】
本発明の本実施形態では、構成情報は、少なくとも1つのRSSI閾値をさらに含むことができる。これに対応して、統計決定モジュール430は、少なくとも1つのRSSI閾値に従って、少なくとも1つの統計ウィンドウの各々について、統計ウィンドウに含まれるサンプリング時点におけるライセンス不要周波数上の信号のRSSI値を少なくとも1つのRSSI値範囲に分割し、少なくとも1つのRSSI値範囲に含まれるサンプリング時点におけるRSSI値の数と、統計ウィンドウに含まれるサンプリング時点におけるライセンス不要周波数上の信号のRSSI値の総数との比を取得し、少なくとも1つのRSSI値範囲の比を統計結果として使用する、ように特に構成されている。具体的には、本発明の前述の実施形態の図5aの関連説明を参照されたく、ここでは詳細を繰り返さない。
【０１０９】
本発明の本実施形態では、ライセンス不要周波数上の信号のRSSI値統計結果は、少なくとも1つの統計ウィンドウに含まれるサンプリング時点におけるライセンス不要周波数上の信号のRSSI値の総数、ライセンス不要周波数上の信号がサンプリングされるサンプリング間隔、サンプリング時点におけるライセンス不要周波数上の信号のRSSI値の平均値、またはライセンス不要周波数上の信号の信号属性情報であって、信号属性情報が無線ローカル・エリア・ネットワークWLAN構成情報もしくはセル構成情報を含むことができる、信号属性情報、の少なくとも1つまたはこれらの情報の組み合わせをさらに含むことができる。
【０１１０】
任意選択の実施態様では、サンプリングパラメータ情報は、ライセンス不要周波数に対応するサンプリングウィンドウおよびサンプリングウィンドウ周期をさらに含み、サンプリングウィンドウは、各サンプリングウィンドウ周期においてライセンス不要周波数上の信号がサンプリングされる時間長を指示するために使用され、サンプリング間隔の時間長はサンプリングウィンドウの時間長よりも短く、サンプリングモジュールは、ライセンス不要周波数上の信号について、サンプリングウィンドウの時間長およびサンプリングウィンドウ周期に従ってサンプリング間隔でライセンス不要周波数上の信号をサンプリングし、サンプリング時点におけるライセンス不要周波数上の信号のRSSI値を取得する、ように特に構成されている。具体的には、サンプリングウィンドウの時間長およびサンプリングウィンドウ周期に従ったサンプリングモジュール420によるライセンス不要周波数上の信号のサンプリングについては、本発明の前述の実施形態の図5bに対応する関連説明を参照されたく、ここでは詳細を繰り返さない。
【０１１１】
別の任意選択の実施態様では、サンプリングパラメータ情報は、測定時間長および測定周期をさらに含み、サンプリングモジュールは、ライセンス不要周波数上の信号について、測定時間長および測定周期に従ってサンプリング間隔でライセンス不要周波数上の信号をサンプリングし、サンプリング時点におけるライセンス不要周波数上の信号のRSSI値を取得する、ように特に構成されている。具体的には、測定時間長および測定周期に従ったサンプリングモジュール420によるライセンス不要周波数上の信号のサンプリングについては、本発明の前述の実施形態の図5cに対応する関連説明を参照されたく、ここでは詳細を繰り返さない。
【０１１２】
本発明の本実施形態では、構成情報に含まれる統計ウィンドウ、サンプリングパラメータ情報、または報告条件のいずれか1つがユーザ機器によって事前設定され、またはユーザ機器にサービスを提供する基地局から取得される。
【０１１３】
本発明の本実施形態では、ユーザ機器は物理層および無線リソース制御層を含み、物理層は、サンプリングモジュールの関連動作を行うサンプリングモジュールを含むことができ、サンプリング時点におけるライセンス不要周波数上の信号のRSSI値を無線リソース制御層に送り、これに対応して、無線リソース制御層は、統計決定モジュールを含むことができ、少なくとも1つの統計ウィンドウに従ってサンプリング時点におけるライセンス不要周波数上の信号のRSSI値の統計を決定し、ライセンス不要周波数上の信号のRSSI値統計結果を取得することができ、
または
物理層は、サンプリングモジュールおよび統計決定モジュールを含むことができ、サンプリング間隔でライセンス不要周波数上の信号をサンプリングするサンプリングモジュールの動作を行い、サンプリング時点におけるライセンス不要周波数上の信号のRSSI値を取得し、少なくとも1つの統計ウィンドウに従ってサンプリング時点におけるライセンス不要周波数上の信号のRSSI値の統計を決定する統計決定モジュールの動作を行い、ライセンス不要周波数上の信号のRSSI値統計結果を取得し、ライセンス不要周波数上の信号のRSSI値統計結果を無線リソース制御層に送ることができる。
【０１１４】
本発明の本実施形態では、構成情報は周波数指示情報をさらに含むことができ、ユーザ機器は、周波数指示情報に従って、信号のRSSI値統計結果を取得する必要があるライセンス不要周波数を決定する。
【０１１５】
加えて、図11を参照すると、図11は、本発明の一実施形態による別のユーザ機器の概略構造図である。本ユーザ機器は、プロセッサ710と、メモリ790と、アンテナ750とを含むことができる。プロセッサ710はメモリ790内のプログラムコードを呼び出し、アンテナ750を使用して802.11インターフェース720、802.16インターフェース730、または3GPPインターフェース740上で処理された情報を送信し、または、アンテナ750を使用して別の端末によってユーザ機器に送信された情報を受信することができる。具体的には、メモリ790は、取得モジュール、サンプリングモジュール、統計決定モジュール、および報告モジュールに対応するプログラムコードを記憶することができる。プロセッサ710は、メモリ790内のプログラムコードを呼び出し、802.11インターフェース720、802.16インターフェース730、または3GPPインターフェース740（別の通信インターフェースを使用してもよく、これは本発明の本実施形態では限定されない）、およびアンテナ750を使用して取得モジュール、サンプリングモジュール、統計決定モジュール、および報告モジュールの各動作を行い、ライセンス不要周波数上の信号のRSSI値統計結果を基地局に報告することができる。
【０１１６】
さらに、メモリ790は、制御モジュールまたは判定モジュールに対応するプログラムコードを記憶することができる。プロセッサ710は、メモリ790内のプログラムコードを呼び出し、制御モジュールまたは判定モジュールの関連動作を行うことができる。プロセッサ710の動作の具体的な任意選択の実施態様については、本発明の各実施形態の関連モジュールの動作および説明を参照されたく、ここでは詳細を繰り返さない。
【０１１７】
具体的には、本発明の実施形態の図8、図9、または図11に記載されるユーザ機器は、図7に関連した本発明の実施形態に記載される信号処理方法の実施形態のプロセスの一部または全部を行うことができる。
【０１１８】
図8および図9に示すユーザ機器では、取得モジュールは、ライセンス不要周波数上の信号の受信信号強度表示信号RSSI値を検出するために使用される構成情報を取得することができ、ライセンス不要周波数上の信号は、構成情報内のサンプリング間隔に従ってサンプリングされ、サンプリング時点におけるライセンス不要周波数上の信号のRSSI値が取得され、構成情報内の少なくとも1つの統計ウィンドウに含まれるサンプリング時点におけるライセンス不要周波数上の信号のRSSI値の統計が決定され、ライセンス不要周波数上の信号のRSSI値統計結果が取得され、基地局に報告される。本発明の本実施形態では、ユーザ機器は、ライセンス不要周波数上の信号をサンプリングし、ユーザ機器から特定の範囲内のライセンス不要周波数を使用してすべての信号を取得することができ、それによって、ユーザ機器が選択された遊休状態のライセンス不要周波数を使用するときのユーザ機器への隠れた基地局の干渉が回避されることが分かる。さらに、本発明の本実施形態では、複数のサンプリング時点におけるライセンス不要周波数上の信号のRSSI値が取得され、複数のサンプリング時点におけるライセンス不要周波数上の信号のRSSI値の統計が決定されて、ライセンス不要周波数上の信号のRSSI値統計結果が取得され、それによって、ユーザ機器にサービスを提供する基地局が遊休状態のライセンス不要周波数を選択する際に従うRSSI値の正確さがさらに向上する。さらに、図9に示すユーザ機器では、報告モジュールは、構成情報内の報告条件によって指示される、3つの報告方法、すなわち、1回限りの報告、事前設定報告周期に従った報告、および事前設定イベントに従った報告に従って、ライセンス不要周波数上の信号のRSSI値統計結果を基地局に報告することができる。したがって、ユーザ機器にサービスを提供する基地局が遊休状態のライセンス不要周波数を選択する際に従うRSSI値の正確さを向上させることができるのみならず、ユーザ機器または基地局の電力消費を低減させることもできる。
【０１１９】
図10を参照すると、図10は、本発明の一実施形態による基地局の概略構造図である。図10に示すように、基地局は、通信モジュール510と、判定モジュール520とを含むことができる。
【０１２０】
通信モジュール510は、ユーザ機器に、ライセンス不要周波数上の信号の受信信号強度表示信号RSSI値を検出するために使用される構成情報を送信するように構成されており、構成情報は周波数指示情報を含み、ユーザ機器は、周波数指示情報に従って、信号のRSSI値統計結果を取得する必要があるライセンス不要周波数を決定する。
【０１２１】
通信モジュール510は、構成情報に従ってユーザ機器が取得したライセンス不要周波数上の信号のRSSI値統計結果を受信するようにさらに構成されている。
【０１２２】
判定モジュール520は、通信モジュール510が受信したライセンス不要周波数上の信号のRSSI値統計結果に従って、ライセンス不要周波数はユーザ機器との通信に使用される遊休状態のライセンス不要周波数であるかどうかを判定するように構成されている。
【０１２３】
本発明の本実施形態では、構成情報は、ライセンス不要周波数上の信号をサンプリングするために使用されるサンプリングパラメータ情報および／または少なくとも1つの統計ウィンドウを含み、サンプリングパラメータ情報はサンプリング間隔を含み、少なくとも1つの統計ウィンドウは、サンプリング時点におけるライセンス不要周波数上の信号のRSSI値の統計が決定される時間長である。具体的には、サンプリング間隔は、2回のサンプリングごとの時間間隔を指示する。例えば、サンプリング間隔は、1つのサブフレームまたは1つのシンボルとすることができ、これはサンプリングが各サブフレームまたは各シンボルごとに1回行われることを指示する。さらに、各回のサンプリングは、ユーザ機器による各回のサンプリングの測定時間長を指示するサンプリング持続期間を含む。サンプリング持続期間がサンプリング間隔と等しい場合、それは、ユーザ機器が連続したサンプリングを行うことを指示する。サンプリング持続期間は、事前定義された時間長であっても、基地局によって構成された時間長であってもよい。
【０１２４】
本発明の本実施形態では、構成情報は、ユーザ機器をトリガしてライセンス不要周波数上の信号のRSSI値統計結果を報告させるために使用される報告条件をさらに含み、報告条件は、少なくとも1つの統計ウィンドウのうちの1つの統計ウィンドウに対応するライセンス不要周波数上の信号のRSSI値統計結果の1回限りの報告を行うこと、事前設定報告周期に従って周期的な報告を行うこと、または事前設定イベントを指示する、ライセンス不要周波数上の信号のRSSI値統計結果に含まれる情報に従ってイベントベースの報告を行うことのいずれか1つを含む。
【０１２５】
本発明の本実施形態では、構成情報は少なくとも1つのRSSI閾値をさらに含んでいてよく、少なくとも1つのRSSI閾値は、少なくとも1つの統計ウィンドウの各々について、統計ウィンドウに含まれるサンプリング時点におけるライセンス不要周波数上の信号のRSSI値を少なくとも1つのRSSI値範囲に分割するために用いられ、少なくとも1つのRSSI値範囲に含まれるサンプリング時点におけるRSSI値の数と、統計ウィンドウに含まれるサンプリング時点におけるライセンス不要周波数上の信号のRSSI値の総数との比が、ライセンス不要周波数上の信号のRSSI値統計結果として使用される。
【０１２６】
本発明の本実施形態では、ライセンス不要周波数上の信号のRSSI値統計結果は、少なくとも1つの統計ウィンドウに含まれるサンプリング時点におけるライセンス不要周波数上の信号のRSSI値の総数、ライセンス不要周波数上の信号がサンプリングされるサンプリング間隔、サンプリング時点におけるライセンス不要周波数上の信号のRSSI値の平均値、またはライセンス不要周波数上の信号の信号属性情報であって、信号属性情報が無線ローカル・エリア・ネットワークWLAN情報もしくはセル構成情報を含む、信号属性情報、の少なくとも1つまたはこれらの情報の組み合わせをさらに含む。
【０１２７】
本発明の本実施形態では、サンプリングパラメータ情報は、ライセンス不要周波数に対応するサンプリングウィンドウおよびサンプリングウィンドウ周期をさらに含み、サンプリングウィンドウは、各サンプリングウィンドウ周期においてライセンス不要周波数上の信号がサンプリングされる時間長を指示するために使用され、サンプリング間隔の時間長はサンプリングウィンドウの時間長よりも短い。
【０１２８】
本発明の本実施形態では、サンプリングパラメータ情報は、測定時間長および測定周期をさらに含み、測定時間長は、各測定周期においてライセンス不要周波数上の信号がサンプリングされる時間長を指示するために使用され、サンプリング間隔の時間長は測定時間長の時間長よりも短い。
【０１２９】
加えて、図12を参照すると、図12は、本発明の一実施形態による別の基地局の概略構造図である。図12に示す基地局は、基地局プロセッサ610と、送信機620と、受信機630と、メモリ640と、アンテナ650とを含むことができる。メモリ640は、通信モジュールおよび判定モジュールに対応するプログラムコードを記憶することができる。基地局プロセッサ610は、メモリ610内のプログラムコードを呼び出し、送信機620を使用してユーザ機器に、ライセンス不要周波数上の信号の受信信号強度表示信号RSSI値を検出するために使用される構成情報を送信し、受信機630を使用して、構成情報に従ってユーザ機器が取得したライセンス不要周波数上の信号のRSSI値統計結果を受信することができる。これに対応して、基地局プロセッサ610は、メモリ610内のプログラムコードを呼び出して、ライセンス不要周波数はユーザ機器との通信に使用される遊休状態のライセンス不要周波数であるかどうかを判定することができる。基地局プロセッサ610の動作の具体的な任意選択の実施態様については、本発明の各実施形態の関連モジュールの動作および説明を参照されたく、ここでは詳細を繰り返さない。
【０１３０】
具体的には、本発明の実施形態の図10または図12に記載される基地局は、図4または図6に関連した本発明の実施形態に記載される信号処理方法の実施形態のプロセスの一部または全部を行うことができる。
【０１３１】
図10に示す基地局では、通信モジュールは、ライセンス不要周波数上の信号のRSSI値を検出するために使用される構成情報をユーザ機器に送信し、構成情報に従ってユーザ機器が取得したライセンス不要周波数上の信号のRSSI値統計結果を受信することができる。本発明の本実施形態では、ユーザ機器は、構成情報に従ってライセンス不要周波数上の信号のRSSI値統計結果を取得し、そのため、ユーザ機器にサービスを提供する基地局が、ライセンス不要周波数上の信号のRSSI値統計結果を取得するプロセスにおいて隠れた基地局の信号を検出することができず、その結果ユーザ機器が、選択されたライセンス不要周波数を使用するときに隠れた基地局による干渉を受けることになるのを回避することができる。加えて、判定モジュールは、ライセンス不要周波数上の信号のRSSI値統計結果に従って、ライセンス不要周波数がユーザ機器との通信に使用される遊休状態のライセンス不要周波数であるかどうかを判定する。したがって、一態様では、基地局が遊休状態のライセンス不要周波数を選択する際に従うRSSI値の正確さが向上し、さらに、決定された遊休状態のライセンス不要周波数の正確さを向上させることができる。
【０１３２】
当業者は、各実施形態における方法のステップの全部または一部を関連ハードウェアに命令するプログラムによって実現できることを理解するであろう。プログラムはコンピュータ可読記憶媒体に記憶されていてよい。記憶媒体は、フラッシュメモリ、読取り専用メモリ（Read-Only Memory、ROM）、ランダム・アクセス・メモリ（Random Access Memory、RAM）、磁気ディスク、光ディスクを含んでいてよい。
【０１３３】
以上で、本発明の実施形態で開示する信号処理方法および関連装置について詳細に説明した。本発明の原理および実装については本明細書で具体例を用いて説明されている。本発明の実施形態に関する説明は単に、本発明の方法および中核をなす思想の理解を助けるためのものにすぎない。加えて、当業者は、本発明の思想に従って具体的実施態様および応用範囲に関して本発明に変形および改変を加えることができる。したがって、明細書の内容を本発明に対する限定と解釈してはならない。
【符号の説明】
【０１３４】
410  取得モジュール
420  サンプリングモジュール
430  統計決定モジュール
440  報告モジュール
441  決定ユニット
442  報告ユニット
450  制御モジュール
460  判定モジュール
510  通信モジュール
520  判定モジュール
610  基地局プロセッサ
620  送信機
630  受信機
640  メモリ
650  アンテナ
710  プロセッサ
720  802.11インターフェース
730  802.16インターフェース
740  3GPPインターフェース
750  アンテナ
790  メモリ
【図１】
0006577135.tif 000003
【図２】
0006577135.tif 000004
【図３】
0006577135.tif 000005
【図４】
0006577135.tif 000006
【図５ａ】
0006577135.tif 000007
【図５ｂ】
0006577135.tif 000008
【図５ｃ】
0006577135.tif 000009
【図６】
0006577135.tif 000010
【図７】
0006577135.tif 000011
【図８】
0006577135.tif 000012
【図９】
0006577135.tif 000013
【図１０】
0006577135.tif 000014
【図１１】
0006577135.tif 000015
【図１２】
0006577135.tif 000016